(57)【要約】【課題】頭部を手指で確実に掴むことができ、軸部材のピン孔に容易に抜き差し可能な抜け止めピンを提供する。【解決手段】抜け止めピン１１は、ばね性のある金属線材を一体的に曲げ形成してなり、ピン孔に差し込まれる直線状の挿通部１３と、軸部材の外周部に弾性的に係合する波状部１４と、挿通部と波状部とを繋ぐ折り返し部１５とを有し、該折り返し部は、抜け止めピンをピン孔に抜き差しするときに手指を掛ける直線状の把持部１５ａと、該把持部の一端と挿通部とを直角に繋ぐ第１曲げ部１５ｂと、把持部の他端と波状部とを該波状部が挿通部に近接する向きに繋ぐ第２曲げ部１５ｃとを有している。【選択図】図１
2019132339.tif 000002
【特許請求の範囲】
【請求項１】
軸部材と軸挿通孔を有した連結部材とを挿脱可能に嵌合した状態で、前記軸部材のピン孔に差し込まれて前記軸部材の抜け止めを行う抜け止めピンにおいて、該抜け止めピンは、ばね性のある金属線材を一体的に曲げ形成してなり、前記ピン孔に差し込まれる直線状の挿通部と、前記軸部材の外周部に弾性的に係合する波状部と、前記挿通部と前記波状部とを繋ぐ折り返し部とを有し、該折り返し部は、前記抜け止めピンを前記ピン孔に抜き差しするときに手指を掛ける直線状の把持部と、該把持部の一端と前記挿通部とを直角に繋ぐ第１曲げ部と、前記把持部の他端と前記波状部とを該波状部が前記挿通部に近接する向きに繋ぐ第２曲げ部とを有していることを特徴とする抜け止めピン。
【請求項２】
前記把持部の長さが５０〜１００ｍｍであることを特徴とする請求項１記載の抜け止めピン。
【請求項３】
前記金属線材の直径が５ｍｍ〜１０ｍｍであることを特徴とする請求項１又は２記載の抜け止めピン。
【請求項４】
前記波状部は、前記軸部材の外周部に係合する弧状の係合部と、該係合部の先端に延在して前記挿通部から離間する方向に傾斜した拡開部と、前記係合部の基端と前記第２曲げ部とを繋ぐ直線状の支持部とを有していることを特徴とする請求項１乃至３のいずれか１項記載の抜け止めピン。
【発明の詳細な説明】
【技術分野】
【０００１】
本発明は、抜け止めピンに関し、詳しくは、作業機械などの軸部材のピン孔に装着して軸部材の抜け止めを行う抜け止めピンに関する。
【背景技術】
【０００２】
円形断面の軸部材と軸挿通孔を有した連結部材とを挿脱可能に嵌合した状態で、軸部材が軸挿通孔から抜け出さないように止める手段として、軸部材に設けたピン孔に抜き差し可能に取り付けられる抜け止めピンがある。この抜け止めピンの一つとしては、周知のベータピンがある（例えば、特許文献１参照。）。
【０００３】
ベータピンは、ばね性のある金属線材を略β字状に曲げ形成したもので、取り付けのときにはβ字状の輪状の頭部を指先でつまみ、直線部を先端側から軸部材のピン孔に挿入する。このとき、β字状の波状部は軸部材の外周部により押し拡げられて軸部材に被せられ、ベータピンはこの波状部の弾性力により軸部材に保持される。一方、ベータピンをピン孔から取り外すには、頭部に指先やラジオペンチなどの工具を引っ掛けて引き抜く。
【先行技術文献】
【特許文献】
【０００４】
【特許文献１】特開２００３−９５５８０号公報（図８）
【発明の概要】
【発明が解決しようとする課題】
【０００５】
上述のように、ベータピンは、軸部材の抜け止めを簡便に行えるといった利点があることから、大型の杭打機など、輸送時にリーダやガントリなどの大型部品の分解・組立にも流用されており、この場合、大径の、例えば、直径７０ｍｍ程度の軸部材及び、該軸部材の直径に対応した太くて長い抜け止めピンが使用されている。しかし、抜け止めピンが太くなると、弾性力や摩擦力も大きくなり、差し込みを迅速に行うことができないといった課題があった。
【０００６】
また、抜け止めピンを差し込むときに、頭部を握る手のひらが滑り、適正な力で差し込むことができず、その上、抜け止めピンを引き抜くときには、指先が滑って互いに締め付けられ苦痛を伴うことから、作業者にとって負担の大きい作業であった。さらに、雨天時や寒冷地で行うといった悪条件であれば、一層負担が大きくなる。加えて、抜け止めピンが連結部材の壁部に密着している場合もあり、抜け止めピンの弾性力や摩擦力に抗して引き抜くことは容易でなく、危険も伴う作業であった。
【０００７】
そこで本発明は、頭部を手指で確実に掴むことができ、軸部材のピン孔に容易に抜き差し可能な抜け止めピンを提供することを目的としている。
【課題を解決するための手段】
【０００８】
上記目的を達成するため、本発明の抜け止めピンは、軸部材と軸挿通孔を有した連結部材とを挿脱可能に嵌合した状態で、前記軸部材のピン孔に差し込まれて前記軸部材の抜け止めを行う抜け止めピンにおいて、該抜け止めピンは、ばね性のある金属線材を一体的に曲げ形成してなり、前記ピン孔に差し込まれる直線状の挿通部と、前記軸部材の外周部に弾性的に係合する波状部と、前記挿通部と前記波状部とを繋ぐ折り返し部とを有し、該折り返し部は、前記抜け止めピンを前記ピン孔に抜き差しするときに手指を掛ける直線状の把持部と、該把持部の一端と前記挿通部とを直角に繋ぐ第１曲げ部と、前記把持部の他端と前記波状部とを該波状部が前記挿通部に近接する向きに繋ぐ第２曲げ部とを有していることを特徴としている。
【０００９】
また、前記把持部の長さが５０〜１００ｍｍであることを特徴としている。さらに、前記金属線材の直径が５ｍｍ〜１０ｍｍであることを特徴としている。
【００１０】
加えて、前記波状部は、前記軸部材の外周部に係合する弧状の係合部と、該係合部の先端に延在して前記挿通部から離間する方向に傾斜した拡開部と、前記係合部の基端と前記第２曲げ部とを繋ぐ直線状の支持部とを有していることを特徴としている。
【発明の効果】
【００１１】
本発明によれば、抜け止めピンの挿通部の基端側に第１曲げ部を介して直線状の把持部を有するとともに、この把持部と挿通部とが直角をなして形成されているので、軸部材のピン孔に抜け止めピンを抜き差しするときに、把持部を手指で確実に掴むことができ、特に、抜け止めピンを引き抜くときに手指に係る負担を軽減することができる。また、雨天時や寒冷地で行うといった悪条件であれば、より顕著な効果が得られ、抜け止めピンを安全かつ安心して取り扱うことができる。
【００１２】
また、直線状の把持部の長さが５０〜１００ｍｍであるので、手指が折り返し部の曲げ部に掛かり圧迫されることはなく、把持部をより確実に掴むことがでる。さらに、金属線材の直径が５ｍｍ〜１０ｍｍであるので、大径の軸部材に適用できる充分な弾性力と耐久性をもって軸部材の抜け止めを行うことができる。したがって、小径の軸部材に適用される細くて小さいベータピンのように、着脱を繰り返すことにより容易に変形して再利用できないといった不都合が生じない。
【図面の簡単な説明】
【００１３】
【図１】本発明の抜け止めピンの一形態例を示す平面図である。
【図２】同じく要部の分解斜視図である。
【発明を実施するための形態】
【００１４】
図１及び図２は、本発明の抜け止めピンの一形態例を示すもので、本形態例に示す抜け止めピン１１は、ばね性のある金属線材を略β字状に一体的に曲げ形成してなり、円形断面の軸部材１２の先端部に設けたピン孔１２ａに差し込まれる直線状の挿通部１３と、軸部材１２の外周部に弾性的に係合する波状部１４と、挿通部１３と波状部１４とを繋ぐ折り返し部１５とを有しており、軸部材１２と軸挿通孔１６ａ，１７ａを有した一組の第１連結部材１６及び第２連結部材１７とを挿脱可能に嵌合した状態で、軸部材１２のピン孔１２ａに差し込まれて軸部材１２の抜け止めを行うものである。本実施例では、直径６５ｍｍ又は７０ｍｍの軸部材１２に適した抜け止めピン１１を示しており、金属線材の直径Ｄ１は９ｍｍに形成され、大径の軸部材１２に適用可能な弾性力と耐久性を有した太さ、例えば、直径５ｍｍ〜１０ｍｍであることが望ましい。
【００１５】
折り返し部１５は、抜け止めピン１１の挿通部１３をピン孔１２ａに抜き差しするときに手指を掛ける直線状の把持部１５ａと、該把持部１５ａの一端と挿通部１３とを略９０度の曲げ角度で繋ぐ第１曲げ部１５ｂと、把持部１５ａの他端と波状部１４とを該波状部１４が挿通部１３に近接する向きに繋ぐ第２曲げ部１５ｃとを有している。把持部１５ａの長さＬ１は５４ｍｍに形成されており、少なくとも人差し指、中指及び薬指の３本の指が掛けられる長さ、例えば、５０〜１００ｍｍであることが望ましい。
【００１６】
また、第１曲げ部１５ｂの曲げ半径Ｒ１は１１ｍｍに形成されている。ここで、曲げ半径とは、金属線材の軸心の曲げ半径であり、手指を第１曲げ部１５ｂに片寄せした状態で把持位置が固定できる大きさ、例えば、金属線材の直径Ｄ１の１〜１．５倍であることが望ましい。さらに、第２曲げ部１５ｃの曲げ半径Ｒ２は２０ｍｍに形成されており、所定の弾性力が確保できる大きさ、例えば、第１曲げ部１５ｂの曲げ半径Ｒ１の１．５〜２倍であることが望ましい。
【００１７】
波状部１４は、軸部材１２の外周部に係合する弧状の係合部１４ａと、該係合部１４ａの先端に延在して前記挿通部１３から離間する方向に傾斜した拡開部１４ｂと、係合部１４ａの基端と前記第２曲げ部１５ｃとを繋ぐ直線状の支持部１４ｃとを有しており、拡開部１４ｂは、その先端を挿通部１３の先端にほぼ揃える長さに形成されている。
【００１８】
ここで、抜け止めピン１１を取り付ける手順について説明する。まず、互いに連結される第１連結部材１６と二股状の第２連結部材１７との軸挿通孔１６ａ，１７ａを連通させた状態で、該軸挿通孔１６ａ，１７ａに軸部材１２が挿入される。軸部材１２は、軸挿通孔１６ａ，１７ａに挿通される円柱状の胴部１２ｂと、該胴部１２ｂの基端部に設けられる略矩形環状の取っ手１２ｃとを有し、胴部１２ｂの先端部に、抜け止めピン１１の挿通部１３が挿入されるピン孔１２ａが径方向に設けられている。
【００１９】
続いて、抜け止めピン１１の把持部１５ａを掴んで挿通部１３先端をピン孔１２ａに挿入すると、波状部１４の拡開部１４ｂが軸部材１２の胴部１２ｂに当接する。この状態から、手のひらを把持部１５ａに押し当て更に押し込むと、拡開部１４ｂが胴部１２ｂにより押し拡げられるとともに、胴部１２ｂを弾性的に乗り越え、波状部１４の係合部１４ａが胴部１２ｂに係合する。この結果、抜け止めピン１１は、挿通部１３と波状部１４とで軸部材１２を挟んで安定した状態で保持される。一方、抜け止めピン１１をピン孔１２ａから取り外すには、把持部１５ａに指先を引っ掛けて引っ張ることで胴部１２ｂに対する波状部１４の係合状態が解除され、挿通部１３がピン孔１２ａから引き抜かれる。
【００２０】
このように、抜け止めピン１１の挿通部１３の基端側に第１曲げ部１５ｂを介して直線状の把持部１５ａを有するとともに、把持部１５ａと挿通部１３とが直角をなして形成されているので、軸部材１２のピン孔１２ａに抜け止めピン１１を抜き差しするときに、把持部１５ａを手指で確実に掴むことができ、特に、抜け止めピン１１を引き抜くときに手指に係る負担を軽減することができる。また、雨天時や寒冷地で行うといった悪条件であれば、より顕著な効果が得られ、抜け止めピン１１を安全かつ安心して取り扱うことができる。この場合、把持部１５ａに片面テープなどのクッション材を巻き付ければ、更に確実に掴むことができる上に、把持部１５ａの表面に均一の厚さで巻き付けることが可能となり、繰り返しの使用によりクッション材が解けるといった不具合も抑えることができる。加えて、抜け止めピン１１が第２連結部材１７の壁部に密着している場合であっても、抜け止めピン１１を片手で容易に引き抜くことが可能となり、バールなどの工具を引っ掛けて引き抜くといった大掛かりで危険な作業をなくすことができる。
【００２１】
また、金属線材の直径Ｄ１が９ｍｍ、つまり５ｍｍ〜１０ｍｍであるので、大径の軸部材に適用できる充分な弾性力と耐久性をもって軸部材の抜け止めを行うことができる。したがって、小径の軸部材に適用される細くて小さいベータピンのように、着脱を繰り返すことにより容易に変形して再利用できないといった不都合が生じない。
【００２２】
さらに、把持部１５ａの長さＬ１が５４ｍｍ、つまり５０ｍｍ〜１００ｍｍであるので、手指が第１曲げ部１５ｂ及び第２曲げ部１５ｃに掛かり圧迫されることはなく、把持部１５ａをより確実に掴むことがでる。加えて、第１曲げ部１５ｂの曲げ半径Ｒ１が１１ｍｍ、つまり、金属線材の直径Ｄ１（９ｍｍ）の１〜１．５倍であるので、把持部１５ａの位置を挿通部１３の軸心に近づけることが可能となり、言い換えれば抜け止めピン１１を抜き差しする力の作用位置を挿通部１３の軸心に近づけることが可能となるので、ピン孔１２ａに対する挿通部１３の引っ掛かりを防止して抜け止めピン１１の抜き差しを容易に行うことができる。
【００２３】
また、把持部１５ａを掴む手指を第１曲げ部１５ｂに片寄せした状態で把持位置が固定されるので、抜け止めピン１１を持ち替える必要がなくなるだけでなく、誤って抜け止めピン１１を落下させるおそれもなくなる。さらに、第１曲げ部１５ｂの曲げ半径Ｒ１の小径化と相俟って折り返し部１５をコンパクトに形成することが可能となり、抜け止めピン１１の装着箇所の周囲が狭隘であっても、抜け止めピン１１の抜き差しを無理なく行うことができる。
【００２４】
加えて、第２曲げ部１５ｃの曲げ半径Ｒ２が２０ｍｍ、つまり第１曲げ部１５ｂの曲げ半径Ｒ１（１１ｍｍ）の１．５〜２倍であるので、抜け止めピン１１を抜き差しする際に、所定の弾性力を確保しつつ、第２曲げ部１５ｃへの応力を分散して応力集中を緩和することにより、抜け止めピン１１の破損を防止することができる。また、波状部１４が、係合部１４ａの先端に延在して挿通部１３から離間する方向に傾斜した拡開部１４ｂを有しているので、挿通部１３先端をピン孔１２ａに挿入するときに、拡開部１４ｂを胴部１２ｂの外周面に当接させて滑らかに押し拡げることができる。
【００２５】
なお、本発明は、前記形態例に限るものではなく、抜け止めピンの折り返し部に直線状の把持部を有していればよく、挿通部の長さも、抜け止めピンを抜き差しする作業スペースに応じて適宜に延長することができる。また、把持部を平板状に潰すことにより手指との接触を面接触状態となるように形成してもよい。さらに、把持部の表面に転造加工で筋状又は網目状の滑り止めを施してもよい。加えて、本形態例では、軸挿通孔に挿通した軸部材が抜け出さないように抜け止めピンにより抜け止めする構成が示されているが、逆に軸挿通孔を有した連結部材が軸部材から抜け出さないように抜け止めピンにより抜け止めする場合にも適用することができる。
【符号の説明】
【００２６】
１１…抜け止めピン、１２…軸部材、１２ａ…ピン孔、１２ｂ…胴部、１２ｃ…取っ手、１３…挿通部、１４…波状部、１４ａ…係合部、１４ｂ…拡開部、１４ｃ…支持部、１５…折り返し部、１５ａ…把持部、１５ｂ…第１曲げ部、１５ｃ…第２曲げ部、１６…第１連結部材、１６ａ…軸挿通孔、１７…第２連結部材、１７ａ…軸挿通孔
【図１】
2019132339.tif 000003
【図２】
2019132339.tif 000004